(57)【要約】【課題】衣服の再利用性を高めることができる衣服再利用支援システム、衣服再利用支援装置、衣服再利用支援方法、プログラム及び記憶媒体を提供する。【解決手段】衣服再利用情報サーバと、他の情報処理端末装置とがネットワークを介して通信を行う衣服再利用支援システムであって、衣服再利用情報サーバは、製造、販売される衣服に対して付された衣服を識別するための識別情報に対応した、衣服に関する衣服情報を保持しており、他の情報処理端末装置から送信される識別情報を複数収集し、他の情報処理端末装置に対して、識別情報が付された衣服の現在の利用状況を表示するとともに、識別情報に対応する衣服情報を表示する。【選択図】図１
2009093264.tif 000002
【特許請求の範囲】
【請求項１】
衣服再利用情報サーバと、他の情報処理端末装置とがネットワークを介して通信を行う衣服再利用支援システムであって、
前記衣服再利用情報サーバは、
製造、販売される衣服に対して付された該衣服を識別するための識別情報に対応した、前記衣服に関する衣服情報を保持しており、
前記他の情報処理端末装置から送信される前記識別情報を複数収集し、
前記他の情報処理端末装置に対して、前記識別情報が付された衣服の現在の利用状況を表示するとともに、該識別情報に対応する衣服情報を表示することを特徴とする衣服再利用支援システム。
【請求項２】
前記衣服再利用情報サーバは、
前記他の情報処理端末装置から前記衣服の現在の利用状況が更新された場合、予め登録された所定の情報処理端末装置に対して、電子メールにより前記更新を通知することを特徴とする請求項１記載の衣服再利用支援システム。
【請求項３】
前記衣服情報は、前記衣服の分類、該衣服の利用対象者、該衣服の販売時期、該衣服の写真、該衣服の色、該衣服のサイズ、該衣服に用いられているテキスタイル、該テキスタイルの写真、該衣服に用いられている副資材、該副資材の写真、該衣服のデザイン画、該衣服のデザイナー、該衣服の縫製仕様書、該縫製仕様書の作成者、のうち少なくとも１以上を含む情報であることを特徴とする請求項１又は２記載の衣服再利用支援システム。
【請求項４】
他の情報処理端末装置とネットワークを介して通信を行う衣服再利用支援装置であって、
製造、販売される衣服に対して付された該衣服を識別するための識別情報に対応した、前記衣服に関する衣服情報を保持する手段と、
前記他の情報処理端末装置から送信される前記識別情報を複数収集する手段と、
前記他の情報処理端末装置に対して、前記識別情報が付された衣服の現在の利用状況を表示するとともに、該識別情報に対応する衣服情報を表示する手段と、
を有することを特徴とする衣服再利用支援装置。
【請求項５】
前記他の情報処理端末装置から前記衣服の現在の利用状況が更新された場合、予め登録された所定の情報処理端末装置に対して、電子メールにより前記更新を通知する手段を有することを特徴とする請求項４記載の衣服再利用支援装置。
【請求項６】
前記衣服情報は、前記衣服の分類、該衣服の利用対象者、該衣服の販売時期、該衣服の写真、該衣服の色、該衣服のサイズ、該衣服に用いられているテキスタイル、該テキスタイルの写真、該衣服に用いられている副資材、該副資材の写真、該衣服のデザイン画、該衣服のデザイナー、該衣服の縫製仕様書、該縫製仕様書の作成者、のうち少なくとも１以上を含む情報であることを特徴とする請求項４又は５記載の衣服再利用支援装置。
【請求項７】
衣服再利用情報サーバと、他の情報処理端末装置とがネットワークを介して通信を行う衣服再利用支援方法であって、
前記衣服再利用情報サーバに、製造、販売される衣服に対して付された該衣服を識別するための識別情報に対応した、前記衣服に関する衣服情報を保持させるステップと、
前記衣服再利用情報サーバが、前記他の情報処理端末装置から送信される前記識別情報を複数収集するステップと、
前記衣服再利用情報サーバが、前記他の情報処理端末装置に対して、前記識別情報が付された衣服の現在の利用状況を表示するとともに、該識別情報に対応する衣服情報を表示するステップと、
を有することを特徴とする衣服再利用支援方法。
【請求項８】
前記他の情報処理端末装置から前記衣服の現在の利用状況が更新された場合、前記衣服再利用情報サーバが、予め登録された所定の情報処理端末装置に対して、電子メールにより前記更新を通知するステップを有することを特徴とする請求項７記載の衣服再利用支援方法。
【請求項９】
前記衣服情報は、前記衣服の分類、該衣服の利用対象者、該衣服の販売時期、該衣服の写真、該衣服の色、該衣服のサイズ、該衣服に用いられているテキスタイル、該テキスタイルの写真、該衣服に用いられている副資材、該副資材の写真、該衣服のデザイン画、該衣服のデザイナー、該衣服の縫製仕様書、該縫製仕様書の作成者、のうち少なくとも１以上を含む情報であることを特徴とする請求項７又は８記載の衣服再利用支援方法。
【請求項１０】
製造、販売される衣服に対して付された該衣服を識別するための識別情報に対応した、前記衣服に関する衣服情報を保持させる処理と、
他の情報処理端末装置からネットワークを介して送信される前記識別情報を複数収集する処理と、
前記他の情報処理端末装置に対して、前記識別情報が付された衣服の現在の利用状況を表示するとともに、該識別情報に対応する衣服情報を表示する処理と、
をコンピュータに実行させることを特徴とするプログラム。
【請求項１１】
前記他の情報処理端末装置から前記衣服の現在の利用状況が更新された場合、予め登録された所定の情報処理端末装置に対して、電子メールにより前記更新を通知する処理をコンピュータに実行させることを特徴とする請求項１０記載のプログラム。
【請求項１２】
前記衣服情報は、前記衣服の分類、該衣服の利用対象者、該衣服の販売時期、該衣服の写真、該衣服の色、該衣服のサイズ、該衣服に用いられているテキスタイル、該テキスタイルの写真、該衣服に用いられている副資材、該副資材の写真、該衣服のデザイン画、該衣服のデザイナー、該衣服の縫製仕様書、該縫製仕様書の作成者、のうち少なくとも１以上を含む情報であることを特徴とする請求項１０又は１１記載のプログラム。
【請求項１３】
請求項１０から１２のいずれか１項に記載のプログラムを記憶したことを特徴とする記憶媒体。 
【発明の詳細な説明】
【技術分野】
【０００１】
本発明は、インターネット通信を介して衣服の再利用を支援できる衣服再利用支援システム、衣服再利用支援装置、衣服再利用支援方法、プログラム及び記憶媒体に関する。
【背景技術】
【０００２】
最近のアパレル・ファッション業界では、短いサイクルの流行とともに、安価な衣料が大量に販売され、使い捨てすることを前提とした需要・供給のモデルになっている。
【０００３】
一方で、気に入って買った衣服は長期に利用したいという要望もある。衣服を長期に利用する場合は、修繕を行ったり、仕立て直し（リメイク）を行ったりして再利用する（リメイク例として、特許文献１参照）。
【０００４】
衣服の修繕や仕立て直しを行う場合は、その衣服と同質の布地やアイテム（ボタンやファスナーなど）が必要となる。しかし、現在ではほとんどの衣料が既製品であるため、布地やアイテムは入手困難であり、いつどこで手に入るのかが分からずに、修繕や仕立て直しを断念せざるをえないという問題があった。
【０００５】
なお、衣服の利用に関する技術例としては以下のものがある。
特許文献２には、リフォームの注文にＩＴを導入し、対話的に希望デザインを指定することにより、ユーザのニーズにかなうオーダーを実現することができる「リフォームオーダシステム」が開示されている。
特許文献３には、ワードローブ（衣服着用計画）の作成にＩＴを導入し、利用者の資産データ、基本パターンデータ、履歴データなどを活用することにより、効率的にワードローブを提供することができる「ワードローブ提供方法及びワードローブ提供プログラム」が開示されている。
【０００６】
しかし、特許文献２及び３の技術は、上述した衣服の修繕や仕立て直しにおける問題を解決するものではない。
【特許文献１】実用新案登録第３１２３４５１号公報
【特許文献２】特開２００４−０３８５２０号公報
【特許文献３】特開２００５−１０７９６０号公報
【発明の開示】
【発明が解決しようとする課題】
【０００７】
本発明では、上記事情に鑑みてなされたものであり、再利用価値の高い衣服を所有・保管している人達からその衣服の情報を収集し、所望の衣服を検索できるようにすることで、衣服の再利用性を高めることができる衣服再利用支援システム、衣服再利用支援装置、衣服再利用支援方法、プログラム及び記憶媒体を提供することを目的とする。
【課題を解決するための手段】
【０００８】
かかる目的を達成するために、本発明の第１の衣服再利用支援システムは、衣服再利用情報サーバと、他の情報処理端末装置とがネットワークを介して通信を行う衣服再利用支援システムであって、衣服再利用情報サーバは、製造、販売される衣服に対して付された衣服を識別するための識別情報に対応した、衣服に関する衣服情報を保持しており、他の情報処理端末装置から送信される識別情報を複数収集し、他の情報処理端末装置に対して、識別情報が付された衣服の現在の利用状況を表示するとともに、識別情報に対応する衣服情報を表示することを特徴とする。
【０００９】
本発明の第２の衣服再利用支援システムは、本発明の第１の衣服再利用支援システムにおいて、衣服再利用情報サーバは、他の情報処理端末装置から衣服の現在の利用状況が更新された場合、予め登録された所定の情報処理端末装置に対して、電子メールにより更新を通知することを特徴とする。
【００１０】
本発明の第３の衣服再利用支援システムは、本発明の第１又は第２の衣服再利用支援システムにおいて、衣服情報は、衣服の分類、衣服の利用対象者、衣服の販売時期、衣服の写真、衣服の色、衣服のサイズ、衣服に用いられているテキスタイル、テキスタイルの写真、衣服に用いられている副資材、副資材の写真、衣服のデザイン画、衣服のデザイナー、衣服の縫製仕様書、縫製仕様書の作成者、のうち少なくとも１以上を含む情報であることを特徴とする。
【００１１】
本発明の第１の衣服再利用支援装置は、他の情報処理端末装置とネットワークを介して通信を行う衣服再利用支援装置であって、製造、販売される衣服に対して付された衣服を識別するための識別情報に対応した、衣服に関する衣服情報を保持する手段と、他の情報処理端末装置から送信される識別情報を複数収集する手段と、他の情報処理端末装置に対して、識別情報が付された衣服の現在の利用状況を表示するとともに、識別情報に対応する衣服情報を表示する手段と、を有することを特徴とする。
【００１２】
本発明の第２の衣服再利用支援装置は、本発明の第１の衣服再利用支援装置において、他の情報処理端末装置から衣服の現在の利用状況が更新された場合、予め登録された所定の情報処理端末装置に対して、電子メールにより更新を通知する手段を有することを特徴とする。
【００１３】
本発明の第３の衣服再利用支援装置は、本発明の第１又は第２の衣服再利用支援装置において、衣服情報は、衣服の分類、衣服の利用対象者、衣服の販売時期、衣服の写真、衣服の色、衣服のサイズ、衣服に用いられているテキスタイル、テキスタイルの写真、衣服に用いられている副資材、副資材の写真、衣服のデザイン画、衣服のデザイナー、衣服の縫製仕様書、縫製仕様書の作成者、のうち少なくとも１以上を含む情報であることを特徴とする。
【００１４】
本発明の第１の衣服再利用支援方法は、衣服再利用情報サーバと、他の情報処理端末装置とがネットワークを介して通信を行う衣服再利用支援方法であって、衣服再利用情報サーバに、製造、販売される衣服に対して付された衣服を識別するための識別情報に対応した、衣服に関する衣服情報を保持させるステップと、衣服再利用情報サーバが、他の情報処理端末装置から送信される識別情報を複数収集するステップと、衣服再利用情報サーバが、他の情報処理端末装置に対して、識別情報が付された衣服の現在の利用状況を表示するとともに、識別情報に対応する衣服情報を表示するステップと、を有することを特徴とする。
【００１５】
本発明の第２の衣服再利用支援方法は、本発明の第１の衣服再利用支援方法において、他の情報処理端末装置から衣服の現在の利用状況が更新された場合、衣服再利用情報サーバが、予め登録された所定の情報処理端末装置に対して、電子メールにより更新を通知するステップを有することを特徴とする。
【００１６】
本発明の第３の衣服再利用支援方法は、本発明の第１又は第２の衣服再利用支援方法において、衣服情報は、衣服の分類、衣服の利用対象者、衣服の販売時期、衣服の写真、衣服の色、衣服のサイズ、衣服に用いられているテキスタイル、テキスタイルの写真、衣服に用いられている副資材、副資材の写真、衣服のデザイン画、衣服のデザイナー、衣服の縫製仕様書、縫製仕様書の作成者、のうち少なくとも１以上を含む情報であることを特徴とする。
【００１７】
本発明の第１のプログラムは、製造、販売される衣服に対して付された衣服を識別するための識別情報に対応した、衣服に関する衣服情報を保持させる処理と、他の情報処理端末装置からネットワークを介して送信される識別情報を複数収集する処理と、他の情報処理端末装置に対して、識別情報が付された衣服の現在の利用状況を表示するとともに、識別情報に対応する衣服情報を表示する処理と、をコンピュータに実行させることを特徴とする。
【００１８】
本発明の第２のプログラムは、本発明の第１のプログラムにおいて、他の情報処理端末装置から衣服の現在の利用状況が更新された場合、予め登録された所定の情報処理端末装置に対して、電子メールにより更新を通知する処理をコンピュータに実行させることを特徴とする。
【００１９】
本発明の第３のプログラムは、本発明の第１又は第２のプログラムにおいて、衣服情報は、衣服の分類、衣服の利用対象者、衣服の販売時期、衣服の写真、衣服の色、衣服のサイズ、衣服に用いられているテキスタイル、テキスタイルの写真、衣服に用いられている副資材、副資材の写真、衣服のデザイン画、衣服のデザイナー、衣服の縫製仕様書、縫製仕様書の作成者、のうち少なくとも１以上を含む情報であることを特徴とする。
【００２０】
本発明の記憶媒体は、本発明の第１から第３のいずれか１つのプログラムを記憶したことを特徴とする。
【発明の効果】
【００２１】
本発明によれば、衣服の再利用性を高めることが可能となる。
【発明を実施するための最良の形態】
【００２２】
以下、本発明を実施するための最良の形態について添付図面を参照して詳細に説明する。
【００２３】
本発明の衣服再利用支援システムは、図１に示すように、本発明の衣服再利用支援装置であり、再利用推奨衣料ＤＢ（データベース）２を備えた衣服再利用情報サーバ１と、他の情報処理端末装置、すなわち、衣服販売店が使用・管理する衣服販売店ＰＣ（パーソナルコンピュータ）３と、衣服の購入者が使用・管理する購入者ＰＣ４と、衣服のデザイナーが使用・管理するデザイナーＰＣ５と、縫製仕様書作成者が使用・管理する縫製仕様書作成者ＰＣ６と、一般ユーザが使用・管理する一般人ＰＣ７とが、インターネット（ネットワーク）網８を介して接続されている。
【００２４】
衣服再利用情報サーバ１は、情報処理端末装置であり、衣服再利用情報管理アプリケーション１１に従って、再利用推奨衣料ＤＢ２に対する操作を行う。この衣服再利用情報管理アプリケーション１１は、ＷＥＢアプリとして作成されたものであり、インターネット８上でＷＥＢサイトが公開される。よって、再利用推奨衣料の購入者、デザイナー、縫製仕様書作成者、衣服販売店、一般ユーザが各ＰＣを用いてアクセスできる。なお、衣服再利用情報サーバ１の運用は、衣服販売店が行ってもよいし、その他の者が行ってもよい。
【００２５】
例えば、リメイクに対する対費用効果の高い製品（衣服）に限定し（希望価格数万円以上）、その衣服に対して図２に示すタグをつけることを衣服の製造業者に依頼する。このタグには、図２に示すように、マークやロゴ（図２では「ＥＣＯ  ＲＥＭＡＫＥ」というロゴ文字）などでその製品が再利用推奨衣料であることを示し、その製品を識別するためのコード（図２では「ＩＤ：１０００００１  ９」）が印刷されている。
【００２６】
衣服再利用情報サーバ１の運用者は、衣服再利用情報サーバ１を操作して、再利用推奨推進衣料ＤＢ２に対して、図３に示す衣服管理テーブル、図４に示すテキスタイル管理テーブル、図５に示す副資材管理テーブル、図６に示すカラー・サイズ展開テーブル、図７に示す製造情報テーブルといった各種情報を入力する。
【００２７】
図３の衣服管理テーブルは、所定のデザインの衣服を識別するための「衣服ＩＤ」、その衣服の分類を示す「分類」、その衣服の利用対象者を示す「利用対象」、その衣服の販売時期を示す「販売時期」、その衣服の写真を示す「写真」、その衣服の製造情報ＩＤ（図７参照）を示す「製造情報」といった項目が対応付けられている。
【００２８】
図４のテキスタイル管理テーブルは、所定のテキスタイル（布地）を識別するための「テキスタイルＩＤ」の項目と、そのテキスタイルの写真を示す「写真」の項目とが対応付けられている。
【００２９】
図５の副資材管理テーブルは、所定の副資材（アイテム）を識別するための「副資材ＩＤ」の項目と、その副資材の写真を示す「写真」の項目とが対応付けられている。
【００３０】
図６のカラー・サイズ展開テーブルは、所定のカラー、サイズ、デザインの衣服を識別するための「展開ＩＤ」、その衣服のデザインを識別するための「衣服ＩＤ」（図３の衣服ＩＤに対応）、その衣服のカラーを示す「色」、その衣服が展開されているサイズを示す「サイズ展開」、その衣服に用いられているテキスタイルを示す「テキスタイルＩＤ」（図４のテキスタイルＩＤに対応）、その衣服に用いられている副資材を示す「副資材ＩＤ」（図５の副資材ＩＤに対応）といった項目が対応付けられている。
【００３１】
なお、図６において、「展開ＩＤ」を用いる理由は、同じデザインの製品でもカラーやサイズが異なるものがあるので、カラー、サイズで展開した単位で商品管理する必要があるからである。例えば、図６において、展開ＩＤが１０００００１〜１０００００３の製品は、同じデザインではあるが（衣服ＩＤが全て１００００）、色が異なる（「紺」、「ベージュ」、「黒」）。
【００３２】
また、服は、ファッション傾向に沿って、そのイメージにあわせて、先にテキスタイル（布）が製造される。そして、デザイナーはそれを見てデザインを決めることが多い。よって、同じテキスタイル（布）、副資材（ボタンなど）が同シーズン、複数の別のデザインに活用されることもある（例えば、図６のＣ１００００やＭ１００００）。
【００３３】
図７の製造情報テーブルは、所定の衣服の製造に関する製造情報を識別するための「製造情報ＩＤ」（図３の製造情報に対応）、その衣服のデザイン画を示す「デザイン画」、その衣服のデザイナーを示す「デザイナー」、その衣服の縫製仕様書を示す「縫製仕様書」、その縫製仕様書の作成者を示す「縫製仕様書作成者」といった項目が対応付けられている。
【００３４】
図２〜図７の各テーブルは、各ＩＤによって紐付けられる。例えば、図３の衣服ＩＤと、図６の衣服ＩＤとが対応することで、図３の衣服管理テーブルと、図６のカラー・サイズ展開テーブルとが紐付けられる。なお、図６の展開ＩＤは、後述する図８の展開ＩＤと対応する。このように、本発明では、各テーブルにおける各ＩＤを対応するようにし、各ＩＤをキーとして、図１３における衣服に関する情報の表示や検索を行う。
【００３５】
衣服販売店では、再利用推奨衣料（図２に示すタグの付いた衣料）を販売する。そして、購入者が再利用推奨衣料を購入した場合、購入者に対して、本発明の衣服再利用支援システムの利用を促す。その方法としては、例えば、レシートにおいて、購入した再利用推奨衣料にマークを付け、ＷＥＢサイト（衣服再利用支援サイト）のＵＲＬを印字することで、購入者に認知させる。
【００３６】
購入者は、購入者ＰＣ４からインターネットで上記ＵＲＬにアクセスすると、例えば図１０に示すようなトップページが表示される。ここで、このサイトの利用が初めてであれば、表示されたメニューの「メンバー登録」の登録画面において会員登録（メンバー登録・ユーザ登録）を行った後、メンバー用メニューの「購入製品登録・更新」の登録画面において自分の購入した衣服のタグに付けられたコード（図２の例では、１０００００１  ９）を入力する。コードは、展開ＩＤ（１０００００１）とサイズ（９）とに分解され、図８に示す購入者利用状況情報テーブル（複数の衣服の現在の利用状況を示すテーブル）に登録される。このようにして、本発明の衣服再利用情報サーバ１は、図８に示す購入者利用状況情報テーブルを生成し、再利用推奨衣料ＤＢ２に格納する。分解された展開ＩＤは、図６の展開ＩＤに対応する。なお、購入者利用状況情報テーブルにおける「利用状況」の初期値は「活用中（利用中）」となる。
【００３７】
このようにして、再利用推奨衣料を購入した人から、購入した衣服の情報が衣服再利用情報サーバ１に集まり、集まった情報が複数登録された購入者利用状況情報テーブル（図８）が生成される。そして、会員登録した人達は、自分のＰＣにおいて、図８に示す購入者利用状況情報テーブルを閲覧することができる。
【００３８】
衣服販売店は、図８に示す購入者利用状況情報テーブルを参照して、自分の店でクリアランスしたい商品を「提供可能」として購入者利用状況情報テーブルに登録することができる。図８では、「利用状況」が「提供可能」となっている登録ＩＤ７、８、９が販売店による登録情報である。よって、購入者や衣服販売店の間に、同種の服を所有している仲間としてのコミュニティが形成される。
【００３９】
購入者は、図９に示すように、着用の記録を写真とコメントで載せることもできる。
【００４０】
図８に示す購入者利用状況情報テーブルに変更が加わったら、関係者（サイトに登録した会員（購入者や一般ユーザ）、衣服販売店、デザイナー、縫製仕様書作成者など）にメールなどで更新があった旨を知らせるようにしてもよい。
【００４１】
購入者は、自分の服を着用する上で問題が生じるなどしたら、図８において「利用状況」を変更し、詳細に情報を記述する。また、衣服が不要になり、それを譲ってもよい場合にもその旨の情報を載せる。
【００４２】
本システムの会員が図８に示す購入者利用状況情報テーブルを参照することにより、購入した衣服の再利用（修繕・仕立て直し）を支援することができる。例えば、登録ＩＤ２、３の購入者は、登録ＩＤ７、８の情報を見て、上着だけを販売店から購入することができる。例えば、登録ＩＤ４の購入者は、登録ＩＤ９の情報を見て、衣服販売店のスカートを購入して、サイズアップ用の布として利用できる。例えば、登録ＩＤ５の購入者は、登録ＩＤ２の情報を見て、所有者Ｕ１０００１が所有している「汚れのある上着」が不要になると思われるので、ボタンを譲ってもらえる可能性がある。あるいは、上等な衣服の場合は、スペアボタンがついている場合が多いので、「スペアボタン」の有無の情報を見て、関係者に問い合わせれば、譲ってもらえる可能性がある。
【００４３】
関係者の間で、どのようにトレードすることが可能であるかは、衣服再利用情報サーバ１で自動処理し、候補をリストアップし、利用者はその中から選択するようにするとさらに便利である（図１３参照。後述する）。そのためには、図８に示すように、衣服のパーツごとに（Ｊ:ジャケット、Ｂ:ボトム）仕立て直し要求（Ｕ:サイズアップ、Ｓ:汚れ対策、ｐ:パーツ交換）の情報を格納する。これらの情報を活用することで、候補を見つけることができる。「利用状況」に変更があったタイミングで、調整希望、修繕希望者の調整、修繕可能性をチェックし、トレードの可能性リストを修繕希望、調整希望者にメールで知らせる。
【００４４】
ここで、上述した衣服再利用情報サーバ１の自動処理について、図８及び図１３を参照して説明する。
【００４５】
同一の衣服製品（サイズは全サイズ対象とする。例えば、図８では展開ＩＤ１０００００１の衣服）を示すデータを、図８の購入者利用状況情報テーブルの「利用状況」の変更（更新）時間に基づいてソートする（ステップＳ１）。
【００４６】
ソートしたデータのうち所定のものを１番目とし（ステップＳ２）、１番目のデータをパーツ（Ｊ:ジャケット、Ｂ:ボトム）ごとにチェックする（ステップＳ３）。
【００４７】
まず、図８の「利用状況」の項目が「活用中」又は「提供可能」であるかをチェックし（ステップＳ４）、「活用中」又は「提供可能」である場合（ステップＳ４／ＹＥＳ）、２番目のデータのチェックに移る（ステップＳ５、ステップＳ３）。「活用中」又は「提供可能」でなない場合（ステップＳ４／ＮＯ）、図８の「利用状況」の項目が「修繕希望」であり、かつ、「詳細」の項目に基づいてアイテム（ここでは、ボタン）が不足しているかどうかをチェックする（ステップＳ６）。
【００４８】
「修繕希望」かつ「ボタン不足」である場合（ステップＳ６／ＹＥＳ）、図８の「スペアボタン」の項目が「あり」となっているデータをリストアップし、その結果をレポート（画面表示など）する。当該製品（例えば、展開ＩＤ１０００００１の衣服）で「あり」となっているものがない場合は、同じボタンを利用している他製品（例えば、展開ＩＤ１０００００１以外の展開ＩＤの衣服）を検索し、その結果をレポートする（ステップＳ７）。その後は、２番目のデータのチェックに移る（ステップＳ５、ステップＳ３）。
【００４９】
「修繕希望」かつ「ボタン不足」ではない場合（ステップＳ６／ＮＯ）、当該「修繕希望」の内容が、「製品サポートサイズ内の調整希望」又は「同一サイズへの変更」であるかをチェックする（ステップＳ８）。
【００５０】
「製品サポートサイズ内の調整希望」又は「同一サイズへの変更」ではない場合（ステップＳ８／ＮＯ）、１番目のデータについての自動処理は不可能と判定し、その結果をレポートする（ステップＳ９）。その後は、２番目のデータのチェックに移る（ステップＳ５、ステップＳ３）。
【００５１】
「製品サポートサイズ内の調整希望」又は「同一サイズへの変更」である場合（ステップＳ８／ＹＥＳ）、調整希望であるパーツ（Ｊ・Ｂ）の希望号数（サイズ）を提供可能である候補データ（例えば、「利用状況」の項目が「不要」となっているデータや、サイズ調整の結果、いずれかのパーツが「不要」となるデータ）を全リストから探し、その結果をレポートする（ステップＳ１０）。その後は、２番目のデータのチェックに移る（ステップＳ５、ステップＳ３）。
【００５２】
図８の登録ＩＤ４のように仕立て直しを必要とする場合には、仕立て直しの専門家に依頼することになる。修繕・調整は技術的な作業であるが、仕立て直しの場合には、利用できる布量が限定されていることから、デザイン変更が必要となる場合がある。元のデザイン性を損なわずに（またはさらによく）仕立てなおすことが重要である。この衣服のデザインに関する情報（デザイン画）、製造の情報（縫製指示書）を利用することにより、仕立て直しのデザイン・仕立て直しプランを（できれば元のデザイナー、パターン作成者、縫製指示書作成者が）行うことができる。
【００５３】
仕立て直しに関する情報（デザイン画、縫製指示書）もまた、再利用推奨衣料ＤＢ２に登録し、同種の服を所有する関係者が閲覧できるようにする。このようにすることにより、他の仲間にも手持ちの服を仕立て直す気持ちが生まれることになり、衣服の再利用性が促進される効果を生む。
【００５４】
販売後の経過時刻と共に、傷みや、サイズの不一致など、２者間の単純な交換では再利用できない場合もあるが、同種の服（布、色、パーツ）の情報が整理されているデータベースを利用することにより、調和を損なわず、複数の服を組み合わせて美的に優れた服をデザインすることができる。
【００５５】
図１０、図１１、図１２は、衣服再利用支援サイトの画面例である。図１０において、「登録製品検索・閲覧」をマウスなどでクリックすると、図１１に示すように、現在登録されている衣類の一覧画面が表示される。図１１の画面において、所望の製品のＩＤ（展開ＩＤ）をクリックすると、図１２に示すように、その製品に関する情報の一覧画面が表示される（この画面は、図８に示すものでもよい）。図１２の表示を参照して、関係者は同じ衣類を保持している人の利用状況を把握する。また、この画面表示の下部にある各表示を操作すると、同じ布、アイテムを利用している別の衣類や、色違いの衣類を検索・閲覧することができる。
【００５６】
以上説明したように、本発明によれば、再利用性の高い衣服製品に対して、再利用推奨製品であることを示すとともに、その製品を一意に識別できるＩＤを記しておき、それら衣服製品の情報（現在の利用状況など）を収集してデータベースで一括管理し、インターネットを介してＷＥＢサイトで公開し、集めた情報を一覧表示したり、集めた情報の中から所望の衣服製品を素材（布地やアイテム）の観点で検索可能にしたりすることにより、衣服購入後のライフサイクル管理ができ、修繕や仕立て直し（リメイク）といった衣服の再利用性を高めることができる。上記情報を参照することにより、例えば、購入者間では、サイズの不一致による交換・譲り合いを行うことができ、衣服の有効活用ができる。また、デザイナー、縫製仕様書作成者も、自分の関わった製品の利用状況を把握し、今後の仕事の参考情報として活用できる。
【００５７】
また、本発明によれば、データベースにおいて、衣服製品のデザイン画・縫製仕様書など衣服のクリエーションに関する情報を衣服商品に対応付けて管理したり、デザイン担当、縫製仕様書作成者の情報も合わせて管理したりすることにより、作り手の見える製品づくりが徹底される。衣服にはクリエイターの思いが強く表現されている。よって、本発明によれば、その製品の作成した時のデザイン画、縫製仕様書を活用しながら製品を仕立てなおすことで、デザイナーの意図を汲み取り、パターン情報を活用し（そのまま利用できればさらに有効である）よりよい仕立て直しをすることができる。
【００５８】
また、本発明によれば、再利用推奨商品を扱っている衣服販売店舗は、当該商品を在庫として保持している場合に、ＷＥＢサイトからデータベースに商品を提供可能として登録することができるので、衣服が本当に欲しい人に充足され、着用顧客満足になる。
【００５９】
また、本発明によれば、購入者は、自分の衣服に仕立て直しが必要となった場合、ＷＥＢサイトで、仕立て直し依頼を行う。その際、サイズの調整なのか、デザイン変更なのか、仕立て直しのレベルに応じて、この衣服のデザイナーあるいは縫製仕様書の作成者、あるいは代替のリフォーマーに依頼される。そして、依頼された側では、その製品を仕立て直すにあたり、素材として活用可能な製品の情報、デザイン画、縫製仕様書を利用して、元のデザイン・素材を生かした仕立て直しを行う。よって、本発明によれば、衣服製作に携わったデザイナー、縫製仕様書作成者が、利用者（および利用者間）で双方向コミュニケーションを行うことで、より快適な衣服をクリエイトする場を提供することができる。元のデザイナー、縫製仕様書作成者自らが仕立て直しを担当すれば、自分のクリエイトした愛着のあるデザインを発展させ、よりよい衣服をクリエイトすることにつながる。また、本発明によれば、デザイン関連資料の保管も行うことで、クリエイティブな仕立て直しを行える環境を提供することができる。別のリフォーマーが担当する場合においても、デザイン画、縫製仕様書、関連した利用可能な素材を元に、元のデザイン性を損なわずに仕立て直しができる。製品と、それをクリエイトするための設計図（デザイン画、縫製仕様書）がセットになっていることで、担当する縫製技術者は仕立て直しを通じて、有効な技術の習得を行うことができる。
【００６０】
以上、本発明の実施例について説明したが、上記実施例に限定されるものではなく、その要旨を逸脱しない範囲において種々の変形が可能である。
【００６１】
例えば、上述した実施例における制御動作は、ハードウェア、または、ソフトウェア、あるいは、両者の複合構成によって実行することも可能である。
なお、ソフトウェアによる処理を実行する場合には、処理シーケンスを記録したプログラムを、専用のハードウェアに組み込まれているコンピュータ内のメモリにインストールして実行させるか、あるいは、各種処理が実行可能な汎用コンピュータにプログラムをインストールして実行させることが可能である。
例えば、プログラムは、記録媒体としてのハードディスクやＲＯＭ（Read Only Memory）に予め記録しておくことが可能である。
あるいは、プログラムは、フロッピー（登録商標）ディスク、ＣＤ−ＲＯＭ(Compact Disc Read Only Memory)，ＭＯ(Magneto optical)ディスク，ＤＶＤ(Digital Versatile Disc)、磁気ディスク、半導体メモリなどのリムーバブル記録媒体に、一時的、あるいは、永続的に格納（記録）しておくことが可能である。
このようなリムーバブル記録媒体は、いわゆるパッケージソフトウエアとして提供することが可能である。
なお、プログラムは、上述したようなリムーバブル記録媒体からコンピュータにインストールする他、ダウンロードサイトから、コンピュータに無線転送したり、ＬＡＮ(Local Area Network)、インターネットといったネットワークを介して、コンピュータに有線で転送したりし、コンピュータでは、転送されてきたプログラムを受信し、内蔵するハードディスク等の記録媒体にインストールすることが可能である。
また、上記実施例で説明した処理動作に従って時系列的に実行されるのみならず、処理を実行する装置の処理能力、あるいは、必要に応じて並列的にあるいは個別に実行するように構築することも可能である。
また、上記実施例で説明したシステムは、複数の装置の論理的集合構成にしたり、各装置の機能を混在させたりするように構築することも可能である。
【産業上の利用可能性】
【００６２】
本発明は、修繕や修理の必要が生じる分野に適用できる。
【図面の簡単な説明】
【００６３】
【図１】本発明の衣服再利用支援システムの構成を示す図である。
【図２】再利用推奨衣料であることを示すタグの例を示す図である。
【図３】衣服管理テーブルの例を示す図である。
【図４】テキスタイル管理テーブルの例を示す図である。
【図５】副資材管理テーブルの例を示す図である。
【図６】カラー・サイズ展開テーブルの例を示す図である。
【図７】製造情報テーブルの例を示す図である。
【図８】購入者利用状況情報テーブルの例を示す図である。
【図９】購入者コメントの例を示す図である。
【図１０】衣服再利用支援サイトのトップページの例を示す図である。
【図１１】登録衣類の一覧画面の例を示す図である。
【図１２】登録衣類の情報画面の例を示す図である。
【図１３】衣服再利用情報サーバの自動処理の例を示すフローチャートである。
【符号の説明】
【００６４】
１    衣服再利用情報サーバ
２    再利用推奨衣料ＤＢ
３    衣服販売店ＰＣ
４    購入者ＰＣ
５    デザイナーＰＣ
６    縫製仕様書作成者ＰＣ
７    一般人ＰＣ
８    インターネット
【図１】
2009093264.tif 000003
【図２】
2009093264.tif 000004
【図３】
2009093264.tif 000005
【図４】
2009093264.tif 000006
【図５】
2009093264.tif 000007
【図６】
2009093264.tif 000008
【図７】
2009093264.tif 000009
【図８】
2009093264.tif 000010
【図９】
2009093264.tif 000011
【図１０】
2009093264.tif 000012
【図１１】
2009093264.tif 000013
【図１２】
2009093264.tif 000014
【図１３】
2009093264.tif 000015